(57)【特許請求の範囲】
【請求項１】
エレベータの機械室に配列された複数台の既設プールボックス上には既設の制御装置がそれぞれ設置されており、前記既設の制御装置を新設の制御装置に取り替える際の制御装置の据付方法であって、
隣接する前記既設プールボックス間の仕切板に配線通し穴を穿設しておき、
前記複数台の既設プールボックスの配列長さと同等の長さを有する長尺に形成され、一端開口から他端開口までの間に仕切りの無い内部空間を有して構成され、かつ、上面に開口部を有すると共に底面には配線通し穴が穿設されてなるアダプタプールボックスを、前記既設の制御装置を取り除いた後の前記既設プールボックス上に載置して固定し、
前記アダプタプールボックス上において、新設の制御装置の設置場所に前記既設プールボックスから取り除かれた前記既設の制御装置が設置されている場合には、当該新設の制御装置をアダプタプールボックス上の仮置き場所に設置しておき、
前記既設の制御装置が前記設置場所から取り除かれた際には、前記仮置き場所に設置されている前記新設の制御装置をアダプタプールボックス上でスライド移動させて前記設置場所に設置する、
ことを特徴とする制御装置の据付方法。
【請求項２】
前記内部空間に新設の制御装置の接続ケーブルを折り畳んだ状態で収容しておくとともに、接続ケーブルのケーブル取付位置を前記新設の制御装置の正面側または裏面側に集中させておき、
前記既設の制御装置が前記設置場所から取り除かれた際には、前記仮置き場所に設置されている前記新設の制御装置に前記配線通し穴を通して接続された接続ケーブルを前記内部空間で引き回しつつ前記アダプタプールボックス上でスライド移動させて前記設置場所に設置する、
ことを特徴とする請求項１に記載の制御装置の据付方法。
【請求項３】
前記内部空間に前記新設の制御装置のフラットケーブルを複数列、折り畳んだ状態で収容しておくとともに、前記フラットケーブルの支持部を前記新設の制御装置の移動方向前面に設けておき、
前記既設の制御装置が前記設置場所から取り除かれた際には、前記仮置き場所に設置されている前記新設の制御装置に前記配線通し穴を通して接続された前記フラットケーブルを前記内部空間で引き回しつつ前記アダプタプールボックス上でスライド移動させて前記設置場所に設置する、
ことを特徴とする請求項１に記載の制御装置の据付方法。
【発明の詳細な説明】
【技術分野】
【０００１】
本発明の実施形態は、アダプタプールボックス及び制御装置の据付方法に関する。
【背景技術】
【０００２】
エレベータの制御装置の場合を例に制御装置の据付方法について説明する。一般に、制御装置の据え付けは、機械室床の上に制御装置の配線接続部を収納するための箱形のプールボックスを据え付け、このプールボックスの上に制御装置を設置して固定している。
【０００３】
制御装置をリニューアルする場合、制御装置及び制御装置と機器間、制御装置相互間の各配線を撤去する。ただし、工事期間とコストの削減及び工事時の騒音を低減するため、既設の配線ダクトや既設のプールボックス、シンダーコンクリートは撤去せず、そのまま使用している。
【０００４】
新しい制御装置を機械室に設置する場合、既設の制御装置と新設の制御装置の箱の大きさや底面の寸法は異なっていることが多い。このため、既設プールボックスに新設の制御装置を固定する際、既設プールボックスと新設制御装置との間にアダプタとなる箱や台座（以下、これらを「アダプタプールボックス」と称する）を設置して、新設の制御装置を機械室に固定するようにしている。
【先行技術文献】
【特許文献】
【０００５】
【特許文献１】特開２０００−２０３７７１号公報
【発明の概要】
【発明が解決しようとする課題】
【０００６】
上述したように、既設制御装置と新設制御装置とは、箱の寸法や底面の寸法が異なることが多く、また、仕様によって、設置される制御装置の台数構成が異なることもある。従来、既設プールボックスの上部に既設プールボックスと同じサイズのアダプタプールボックスを設置する例が知られている。
【０００７】
しかし、既設プールボックスに新設の制御装置を据え付けるため、アダプタプールボックスの構造は、物件毎に、その都度設計している。このため、制御装置据え付け構成の設計に多大の時間を要するとともにプールボックスの製作コストの増大を招いていた。
【０００８】
一方、制御装置が、複数台設置されている場合、全ての制御装置を一度にリニューアルせずに、例えば、入出力基板（入出力制御装置）のみを変更し、その他の制御装置はそのまま使用するようなこともある。その場合には、新設の制御装置を新設のプールボックス上に仮据え置きしておき、既設の制御装置の撤去後に新設の制御装置をレール等を用いてスライド移動させる方法がとられている。かかる場合においては、制御装置を移設するために配線をつなぎ直す作業や、配線交換あるいは配線追加といった面倒な作業が発生するという不具合がある。
【０００９】
本発明の目的は、制御装置のリニューアル時において、新しいプールボックスを据え付ける際に、作業性に富み、短時間で安価に据え付け可能なアダプタプールボックスおよび制御装置の据付方法を提供することにある。
【課題を解決するための手段】
【００１０】
上記の目的を達成するため、本発明の実施態様は、複数台の既設プールボックス上に配置され、新設の制御装置が載置されるアダプタプールボックスであって、前記複数台の既設プールボックスの配列長さと同等の長さを有する長尺に形成され、一端開口から他端開口までの間に仕切りの無い内部空間を有して構成されることを特徴としている。
【００１１】
また、上記の目的を達成するための他の実施形態は、制御装置の据付方法であって、複数台の既設プールボックスの配列長さと同等の長さを有し、一端開口から他端開口までの間に仕切りの無い内部空間を有して構成されるアダプタプールボックスを既設プールボックス上に載置して固定し、アダプタプールボックス上において、新設の制御装置の設置場所に他の制御装置が設置されている場合には、当該新設の制御装置をアダプタプールボックス上の仮置き場所に設置しておき、前記他の制御装置が前記設置場所から取り除かれた際には、前記仮置き場所に設置されている前記新設の制御装置をアダプタプールボックス上でスライド移動させて前記設置場所に設置する、ことを特徴としている。
【図面の簡単な説明】
【００１２】
【図１】本発明の実施形態に係るアダプタプールボックスの構成を示す斜視図。
【図２】図１に示すアダプタプールボックスの説明図であり、（ａ）正面図、（ｂ）側面図。
【図３】制御装置の据付方法における制御装置を取り付けた状態を示す正面図。
【図４】制御装置の据付方法における制御装置を取り付けた状態を示す側面図。
【図５】制御装置の据付方法におけるスライド移動の手順を示す説明図。
【図６】制御装置の据付方法におけるスライド移動の手順を示す説明図。
【図７】制御装置の据付構造の第２の実施形態を示す説明図であり、（ａ）は正面図、（ｂ）は側面図。
【図８】制御装置のケーブル取付位置を示す説明図であり、（ａ）は正面図、（ｂ）は側面図。
【図９】制御装置のフラットケーブルの取付位置を示す説明図であり、（ａ）は正面図、（ｂ）は側面図。
【図１０】制御装置のスライド移動の一例を示す説明図。
【図１１】制御装置のスライド移動の他の例を示す説明図。
【図１２】制御装置のスライド移動の他の例を示す説明図。
【発明を実施するための形態】
【００１３】
以下、本発明の実施形態について説明する。なお、以下の各実施形態では、エレベータの制御装置を例にアダプタプールボックス及び制御装置の据付方法について説明するが、制御装置はエレベータの制御装置に限定されるものではなく、床面に設置される制御装置全てに適用可能である。
【００１４】
図１はアダプタプールボックスを既設プールボックス上に載置した斜視図、図２（ａ）はその正面図、（ｂ）は側面図である。
【００１５】
図１、図２に示すように、アダプタプールボックス１は、複数台の既設プールボックス３の上部に渡って設置されており、複数台の既設プールボックス３の長さと同等の長さを有している。
【００１６】
既設プールボックス３は、シンダーコンクリートが打設された機械室床にアンカーボルト等で固定されている。既設プールボックス３は、底面部３Ａと、この底面部３Ａから垂直方向に延出された壁面部３Ｂと、この壁面部３Ｂの端部から底面部３Ａに対して略水平に延出された装置取付面部３Ｃで構成されている。そして、リニューアル前においては、この既設プールボックス３の装置取付面部３Ｃ上に既設の制御装置（図示せず）が載置され、装置固定ボルトにより固定されている。図中、３Ｄは隣接する既設プールボックス３との間を仕切る仕切板である。
【００１７】
アダプタプールボックス１は、ＳＳ４００等の鋼材で形成され、既設プールボックス３の装置取付面部３Ｃにボルト等により固定される底面部１Ａと、この底面部１Ａから垂直方向に延出された壁面部１Ｂと、この壁面部１Ｂから内方側に延出された装置取付面部１Ｃとから構成されている。特に、このアダプタプールボックス１は、複数台の既設プールボックス３の配列長さと同等の長さを有する長尺に形成され、一端開口から他端開口までの間に仕切りの無い内部空間５を有して構成されている。したがって、内部空間５に仕切りが無いため、アダプタプールボックス１内での配線の引き回し、移動が自由になり、新設制御装置の移動等を容易に行うことができる。
【００１８】
既設制御装置を新設制御装置に変更する際には、既設制御装置を既設プールボックス３から取り外した後、既設プールボックス３の装置取付面部３Ｃにアダプタプールボックス１を載置して、ボルト等によって固定する。その後、図３、図４に示すように、アダプタプールボックス１上に新設制御装置７を載置し、新設制御装置７の底面に設けられた車輪９を利用してアダプタプールボックス１上を新設制御装置７を所定位置までスライド移動させた後、ボルト等で固定する。
【００１９】
既設制御装置は、全て新設制御装置７に更新されるとは限られず、一部の既設制御装置のみが新設制御装置７に更新される場合がある。この場合、本来、既設制御装置が設置されていた位置に新設制御装置７が設置されるのが望ましいが、その場所には別の制御装置が設置されている場合がある。例えば、図５に示すように、アダプタプールボックス１上において新設制御装置７の設置場所（設置したい場所）１３には、別の既設制御装置１１が設置されているとする。かかる場合には、先ず、新設制御装置７をアダプタプールボックス１上の仮置き場所１５に仮置きして固定する。次に、図６に示すように、設置場所１３に設置されていた既設制御装置１１が取り除かれた際に、新設制御装置７を仮置き場所１５から本来設置されるべき場所である設置場所１３まで、アダプタプールボックス１上をスライドさせて固定する。
【００２０】
その際、アダプタプールボックス１の内部空間５には仕切板が無いので、新設制御装置７を仮置き場所１５から設置場所１３までアダプタプールボックス１上をスライド移動させる際、新設制御装置７に接続された接続ケーブル１９を自由に引き回して移動することができる。すなわち、この内部空間５は図７（ｂ）に示すような配線敷設部１７として使用することができる。
【００２１】
また、新設制御装置７における接続ケーブル１９は、アダプタプールボックス１内を引き回すのに十分な長さを有しており、新設制御装置７が仮置き場所１５に置かれる場合には折り返した状態で敷設されている。また、ケーブル取付位置２１は、新設制御装置７の前面側、つまり、図７（ｂ）に示す側面図では、新設制御装置７の左側面下部に設定されている。このため、内部空間５の全域に渡って配線敷設部１７を十分に確保することができ、接続ケーブル１９の引き回しの自由度が向上する。
【００２２】
図８は、接続ケーブルとして複数のフラットケーブル２３を設けた例を示している。この場合、図８（ｂ）の側面図に示すように、整列配置された複数（図８では３本）のフラットケーブル２３が新設制御装置７の移動方向前面側の底面付近に設けられた支持部２５を介して支持されるようになっている。このため、フラットケーブル２３の引き回しが容易になり、新設制御装置７を仮置き場所１５から設置場所１３までスライド移動する作業が簡単になるという効果を奏する。
【００２３】
図９に示すように、既設プールボックス３に仕切板３Ｄがある場合には、仕切板３Ｄに配線通し穴２７を穿設して、この配線通し穴２７にフラットケーブル２３を通してから仮置き場所１５に載置された新設制御装置７にフラットケーブル２３を接続しておく。フラットケーブル２３の長さもアダプタプールボックス１内を引き回すのに十分な長さを有しており、新設制御装置７が仮置き場所１５に置かれる場合には折り返した状態で敷設されている。これにより、仮置き場所１５から設置場所１３に新設制御装置７をスライド移動する際のケーブル引き回しが容易になり、作業性が向上する。
【００２４】
《スライド移動の一例》
図１０乃至図１２はアダプタプールボックス上で新設制御装置７をスライド移動する際の一構成例を示している。
【００２５】
図１０に示す例では、アダプタプールボックスとして一対の台座３１を既設プールボックス上に設ける構成となっている。各台座３１は、既設プールボックス３の装置取付面部３Ｃにアンカーボルト等により固定される底面部３１Ａと、この底面部３１Ａの一端から垂直方向に延出された壁面部３１Ｂと、壁面部３１Ｂの端部から底面部３１Ａと同一方向に、かつ底面部３１Ａに対して略水平方向に延出された装置取付面部３１Ｃとから構成され、Ｃ形（断面コ字状）のチャネル構造となっている。
【００２６】
そして、既設の制御装置を新設の制御装置７に変更する際には、まず、既設制御装置１１を既設プールボックス３から取り外した後、各台座３１の壁面部３１Ｂを対向配置させた状態で既設プールボックス３の各装置取付面部３Ｃ上に載置して底面部３１Ａをボルトによって固定する。
【００２７】
新設制御装置７の底面に車輪が無い場合は、車輪９が取り付けられコ字状に形成された移動治具３３を新設制御装置７の底面に置き、各車輪９を台座３１の底面部３１Ａに位置させてスライド移動させることによって新設制御装置７を既設制御装置１１が取り除かれた場所に移動させて載置するようにすれば良い。
【００２８】
なお、図１１に示すように、車輪９が新設制御装置７の底面に車輪９が既に取り付けられている場合には、車輪９を台座３１の装置取付面部３１Ｃ上に載せて所定位置までスライドさせた後、装置固定ボルト等でアダプタプールボックス１に固定すれば良い。
【００２９】
また、図１２に示す移動治具３５は、クランク状に形成されており、先端に設けられた車輪９が機械室底面に設けられたレール３７上を移動する構成となっている。このように構成することにより、新設制御装置７の重量が重く、かつ底部に車輪が無い場合であっても新設制御装置７の移動が容易となり、設置の作業性が向上する。
【００３０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３１】
１：アダプタプールボックス
１Ａ：底面
１Ｂ：壁面
１Ｃ：装置取付面
３：既設プールボックス
３Ａ：底面
３Ｂ：壁面
３Ｃ：装置取付面
３Ｄ：仕切板
５：内部空間
７：新設制御装置
９：車輪
１１：既設制御装置
１３：設置場所
１５：仮置き場所
１７：配線敷設部
１９：接続ケーブル
２１：ケーブル取付位置
２３：フラットケーブル
２５：支持部
２７：配線通し穴
３１：台座（アダプタプールボックス）
３３，３５：移動治具
３７：レール
【図１】
0005858965.tif 000002
【図２】
0005858965.tif 000003
【図３】
0005858965.tif 000004
【図４】
0005858965.tif 000005
【図５】
0005858965.tif 000006
【図６】
0005858965.tif 000007
【図７】
0005858965.tif 000008
【図８】
0005858965.tif 000009
【図９】
0005858965.tif 000010
【図１０】
0005858965.tif 000011
【図１１】
0005858965.tif 000012
【図１２】
0005858965.tif 000013